【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
ＵＳＢインタフェースとネットワークインタフェースとを有する印刷装置であって、
前記ＵＳＢインタフェース経由で印刷データを受信するＵＳＢ制御部と、
前記ネットワークインタフェース経由で印刷データを受信するＴＣＰ／ＩＰ処理部と、
ＨＴＴＰプロトコルを処理するＷｅｂサーバ部と、
印刷処理を行う印刷処理部と、を有し、
前記ＵＳＢ制御部が前記ＵＳＢインタフェース経由でＩＰＰ（Ｉｎｔｅｒｎｅｔ  Ｐｒｉｎｔｉｎｇ  Ｐｒｏｔｏｃｏｌ）に基づかない第１の印刷データを受信した場合、前記ＵＳＢ制御部は、前記第１の印刷データを前記印刷処理部に送信し、
前記ＴＣＰ／ＩＰ処理部が前記ネットワークインタフェース経由でＩＰＰに基づく第２の印刷データを受信した場合、前記ＴＣＰ／ＩＰ処理部は、前記第２の印刷データを前記Ｗｅｂサーバ部に送信し、
前記ＵＳＢ制御部が前記ＵＳＢインタフェース経由でＩＰＰに基づく第３の印刷データを受信した場合、前記ＵＳＢ制御部は前記第３の印刷データを前記ＴＣＰ／ＩＰ処理部に送信し、前記ＴＣＰ／ＩＰ処理部は前記第３の印刷データを前記Ｗｅｂサーバ部に送信し、
前記Ｗｅｂサーバ部は、前記ＴＣＰ／ＩＰ処理部から受信した前記第２の印刷データ又は前記第３の印刷データを前記印刷処理部に送信することを特徴とする印刷装置。
【請求項２】
前記ＵＳＢ制御部は、印刷データの送信元装置により指定されるエンドポイントに基づいて、前記ＵＳＢインタフェース経由で受信した前記第１の印刷データを前記印刷処理部に送信し、前記ＵＳＢインタフェース経由で受信した前記第３の印刷データを前記ＴＣＰ／ＩＰ処理部に送信することを特徴とする請求項１記載の印刷装置。
【請求項３】
前記ＴＣＰ／ＩＰ処理部が前記ネットワークインタフェース経由で第１のホストコンピュータから前記第２の印刷データを受信し、前記ＴＣＰ／ＩＰ処理部が前記第２の印刷データを前記Ｗｅｂサーバ部に送信した場合、前記ＴＣＰ／ＩＰ処理部はＩＰＰに基づく応答データを前記ネットワークインタフェース経由で前記第１のホストコンピュータに送信し、
前記ＵＳＢ制御部が前記ＵＳＢインタフェース経由で第２のホストコンピュータから前記第３の印刷データを受信し、前記ＵＳＢ制御部が前記第３の印刷データを前記ＴＣＰ／ＩＰ処理部に送信し、前記ＴＣＰ／ＩＰ処理部が前記第３の印刷データを前記Ｗｅｂサーバ部に送信した場合、前記ＴＣＰ／ＩＰ処理部はＩＰＰに基づく応答データを前記ＵＳＢインタフェース経由で前記第２のホストコンピュータに送信することを特徴とする請求項１又は２記載の印刷装置。
【請求項４】
前記Ｗｅｂサーバ部は、前記ＴＣＰ／ＩＰ処理部から受信した前記第２の印刷データ又は前記第３の印刷データを、ＩＰＰ処理部経由で前記印刷処理部に送信することを特徴とする請求項１乃至３のいずれか１項に記載の印刷装置。
【請求項５】
前記印刷処理部は、前記Ｗｅｂサーバ部から送信された前記第２の印刷データ又は前記第３の印刷データに基づいて印刷処理を行うことを特徴とする請求項１乃至４のいずれか１項に記載の印刷装置。
【請求項６】
前記ＵＳＢ制御部は、特定のポート番号を指定することにより前記第３の印刷データを前記ＴＣＰ／ＩＰ処理部に送信することを特徴とする請求項１乃至５のいずれか１項に記載の印刷装置。
【請求項７】
前記ＵＳＢ制御部は、前記第３の印刷データのヘッダに含まれる情報に基づいてポート番号を決定し、決定したポート番号を指定することにより前記第３の印刷データを前記ＴＣＰ／ＩＰ処理部に送信することを特徴とする請求項１乃至５のいずれか１項に記載の印刷装置。
【請求項８】
ＵＳＢインタフェースとネットワークインタフェースとを有する印刷装置であって、
前記ＵＳＢインタフェース経由で印刷データを受信するＵＳＢ制御部と、
前記ネットワークインタフェース経由で印刷データを受信するＴＣＰ／ＩＰ処理部と、
ＨＴＴＰプロトコルを処理するＷｅｂサーバ部と、
印刷処理を行う印刷処理部と、を有し、
前記ＵＳＢ制御部が前記ＵＳＢインタフェース経由でＨＴＴＰヘッダが付加されていない第１の印刷データを受信した場合、前記ＵＳＢ制御部は、前記第１の印刷データを前記印刷処理部に送信し、
前記ＴＣＰ／ＩＰ処理部が前記ネットワークインタフェース経由でＨＴＴＰヘッダが付加された第２の印刷データを受信した場合、前記ＴＣＰ／ＩＰ処理部は、前記第２の印刷データを前記Ｗｅｂサーバ部に送信し、
前記ＵＳＢ制御部が前記ＵＳＢインタフェース経由でＨＴＴＰヘッダが付加された第３の印刷データを受信した場合、前記ＵＳＢ制御部は前記第３の印刷データを前記ＴＣＰ／ＩＰ処理部に送信し、前記ＴＣＰ／ＩＰ処理部は前記第３の印刷データを前記Ｗｅｂサーバ部に送信し、
前記Ｗｅｂサーバ部が前記ＴＣＰ／ＩＰ処理部から前記第２又は前記第３の印刷データを受信した場合、前記Ｗｅｂサーバ部は、前記第２又は第３の印刷データに付加されたＨＴＴＰヘッダを削除し、ＨＴＴＰヘッダを削除後の前記第２又は第３の印刷データを前記印刷処理部に送信することを特徴とする印刷装置。
【請求項９】
前記ＵＳＢ制御部は、印刷データの送信元装置により指定されるエンドポイントに基づいて、前記ＵＳＢインタフェース経由で受信した前記第１の印刷データを前記印刷処理部に送信し、前記ＵＳＢインタフェース経由で受信した前記第３の印刷データを前記ＴＣＰ／ＩＰ処理部に送信することを特徴とする請求項８記載の印刷装置。
【請求項１０】
前記ＴＣＰ／ＩＰ処理部が前記ネットワークインタフェース経由で第１のホストコンピュータから前記第２の印刷データを受信し、前記ＴＣＰ／ＩＰ処理部が前記第２の印刷データを前記Ｗｅｂサーバ部に送信した場合、前記ＴＣＰ／ＩＰ処理部はＨＴＴＰヘッダが付加された応答データを前記ネットワークインタフェース経由で前記第１のホストコンピュータに送信し、
前記ＵＳＢ制御部が前記ＵＳＢインタフェース経由で第２のホストコンピュータから前記第３の印刷データを受信し、前記ＵＳＢ制御部が前記第３の印刷データを前記ＴＣＰ／ＩＰ処理部に送信し、前記ＴＣＰ／ＩＰ処理部が前記第３の印刷データを前記Ｗｅｂサーバ部に送信した場合、前記ＴＣＰ／ＩＰ処理部はＨＴＴＰヘッダが付加された応答データを前記ＵＳＢインタフェース経由で前記第２のホストコンピュータに送信することを特徴とする請求項８又は９記載の印刷装置。
【請求項１１】
前記Ｗｅｂサーバ部は、前記ＴＣＰ／ＩＰ処理部から受信した前記第２の印刷データ又は前記第３の印刷データを、ＩＰＰ処理部経由で前記印刷処理部に送信することを特徴とする請求項８乃至１０のいずれか１項に記載の印刷装置。
【請求項１２】
前記印刷処理部は、前記Ｗｅｂサーバ部から送信された前記第２の印刷データ又は前記第３の印刷データに基づいて印刷処理を行うことを特徴とする請求項８乃至１１のいずれか１項に記載の印刷装置。
【請求項１３】
前記ＵＳＢ制御部は、特定のポート番号を指定することにより前記第３の印刷データを前記ＴＣＰ／ＩＰ処理部に送信することを特徴とする請求項８乃至１２のいずれか１項に記載の印刷装置。
【請求項１４】
前記ＵＳＢ制御部は、前記第３の印刷データのヘッダに含まれる情報に基づいてポート番号を決定し、決定したポート番号を指定することにより前記第３の印刷データを前記ＴＣＰ／ＩＰ処理部に送信することを特徴とする請求項８乃至１２のいずれか１項に記載の印刷装置。
【請求項１５】
ＵＳＢインタフェースとネットワークインタフェースとを有する印刷装置であって、
前記ＵＳＢインタフェース経由で印刷データを受信するＵＳＢ制御部と、
前記ネットワークインタフェース経由で印刷データを受信するＴＣＰ／ＩＰ処理部と、
ＨＴＴＰプロトコルを処理するＷｅｂサーバ部と、
印刷処理を行う印刷処理部と、を有し、
前記ＵＳＢ制御部が前記ＵＳＢインタフェース経由で第１タイプの印刷データを受信した場合、前記ＵＳＢ制御部は、前記第１タイプの印刷データを前記印刷処理部に送信し、
前記ＴＣＰ／ＩＰ処理部が前記ネットワークインタフェース経由で第２タイプの印刷データを受信した場合、前記ＴＣＰ／ＩＰ処理部は、前記第２タイプの印刷データを前記Ｗｅｂサーバ部に送信し、
前記ＵＳＢ制御部が前記ＵＳＢインタフェース経由で前記第２タイプの印刷データを受信した場合、前記ＵＳＢ制御部は前記第２タイプの印刷データを前記ＴＣＰ／ＩＰ処理部に送信し、前記ＴＣＰ／ＩＰ処理部は前記第２タイプの印刷データを前記Ｗｅｂサーバ部に送信し、
前記Ｗｅｂサーバ部が前記ＴＣＰ／ＩＰ処理部から受信した前記第２タイプの印刷データを前記印刷処理部に送信することを特徴とする印刷装置。
【請求項１６】
前記ＵＳＢ制御部は、印刷データの送信元装置により指定されるエンドポイントに基づいて、前記ＵＳＢインタフェース経由で受信した前記第１タイプの印刷データを前記印刷処理部に送信し、前記ＵＳＢインタフェース経由で受信した前記第２タイプの印刷データを前記ＴＣＰ／ＩＰ処理部に送信することを特徴とする請求項１５記載の印刷装置。
【手続補正２】
【補正対象書類名】明細書
【補正対象項目名】発明の名称
【補正方法】変更
【補正の内容】
【発明の名称】印刷装置
【手続補正３】
【補正対象書類名】明細書
【補正対象項目名】０００１
【補正方法】変更
【補正の内容】
【０００１】
本発明は、印刷装置に関するものである。
【手続補正４】
【補正対象書類名】明細書
【補正対象項目名】０００８
【補正方法】変更
【補正の内容】
【０００８】
上記目的を達成するために本発明の一態様に係る印刷装置は以下のような構成を備える。即ち、
ＵＳＢインタフェースとネットワークインタフェースとを有する印刷装置であって、
前記ＵＳＢインタフェース経由で印刷データを受信するＵＳＢ制御部と、
前記ネットワークインタフェース経由で印刷データを受信するＴＣＰ／ＩＰ処理部と、
ＨＴＴＰプロトコルを処理するＷｅｂサーバ部と、
印刷処理を行う印刷処理部と、を有し、
前記ＵＳＢ制御部が前記ＵＳＢインタフェース経由でＩＰＰ（Ｉｎｔｅｒｎｅｔ  Ｐｒｉｎｔｉｎｇ  Ｐｒｏｔｏｃｏｌ）に基づかない第１の印刷データを受信した場合、前記ＵＳＢ制御部は、前記第１の印刷データを前記印刷処理部に送信し、
前記ＴＣＰ／ＩＰ処理部が前記ネットワークインタフェース経由でＩＰＰに基づく第２の印刷データを受信した場合、前記ＴＣＰ／ＩＰ処理部は、前記第２の印刷データを前記Ｗｅｂサーバ部に送信し、
前記ＵＳＢ制御部が前記ＵＳＢインタフェース経由でＩＰＰに基づく第３の印刷データを受信した場合、前記ＵＳＢ制御部は前記第３の印刷データを前記ＴＣＰ／ＩＰ処理部に送信し、前記ＴＣＰ／ＩＰ処理部は前記第３の印刷データを前記Ｗｅｂサーバ部に送信し、
前記Ｗｅｂサーバ部は、前記ＴＣＰ／ＩＰ処理部から受信した前記第２の印刷データ又は前記第３の印刷データを前記印刷処理部に送信することを特徴とする。